(57)【特許請求の範囲】
【請求項１】
湯配管から供給される湯をパイプを介して取り入れる湯の取り入れ口および水配管から供給される水をパイプを介して取り入れる水の取り入れ口が形成されているとともに、水または混合湯水の出口が形成され、更に、前記混合湯水の温度を調整するためのミキシングバルブを備えてなる温度調整器を収容する収容部を有し、前記出口に連通する水または混合湯水の流入口を有し、流量調整された前記水または混合湯水が流出するための流出口を有する水栓本体と、
前記流入口から導入された前記水または混合湯水の流出流量を調整するための流量調整バルブを有し、開閉操作を前記流量調整バルブに伝達するための伝達機構を介して前記流出口から流出可能な前記水または混合湯水の流出流量を調整する流量調整部と、
前記水栓本体および流量調整部が設置された状態で、壁または床あるいは取付用パネルに取付けられるハウジング本体と、
このハウジング本体を前面側から被覆するカバープレートと、
ホースの上流端に設けた継手部材が着脱自在であるとともに、前記流出口に連通する継手部とを備え、更に、
前記湯の取り入れ口および湯側の前記パイプ間に水撃緩和部材および逆止弁を備えた水撃緩和機構付きの逆止弁部を設ける一方、
前記水の取り入れ口および水側の前記パイプ間に水撃緩和部材および逆止弁を備えた水撃緩和機構付きの逆止弁部を設け、
湯側および水側の前記水撃緩和部材は、それぞれ、水撃緩和用のバネと、この水撃緩和用のバネより小の付勢力を有するバネにより付勢されて逆止弁が当接するよう設けられた弁座部材とを含み、
水または温度調整された混合湯水を得るように構成され、
湯側の前記水撃緩和機構付きの逆止弁部は、前記水撃緩和部材および逆止弁が組み込まれた状態で、前記湯の取り入れ口および湯側の前記パイプ間に嵌め込み可能に構成されたケース体を有する一方、
水側の前記水撃緩和機構付きの逆止弁部は、前記水撃緩和部材および逆止弁が組み込まれた状態で、前記水の取り入れ口および水側の前記パイプ間に嵌め込み可能に構成されたケース体を有し、
しかも、湯側および水側の前記ケース体は、それぞれ、二分割されており、カバーと、このカバーの底を覆うよう着脱自在に嵌め込まれる下蓋とよりなり、
また、湯側および水側の前記弁座部材は、それぞれ、水撃緩和用のバネを介してケース体に摺動可能に内嵌した状態で設けられているとともに、少なくとも水撃現象が発生しない通常の水または混合湯水の供給状態では、水撃緩和用のバネの付勢によりケース体内において前記カバーに当接するよう構成されていることを特徴とする水道用コンセント。
【請求項２】
湯配管から供給される湯を樹脂パイプを介して取り入れる湯の取り入れ口および水配管から供給される水を樹脂パイプを介して取り入れる水の取り入れ口が形成されているとともに、水または混合湯水の出口が形成され、更に、前記混合湯水の温度を調整するためのミキシングバルブを備えてなる嵌め込み式の温度調整器を収容する収容部を有し、前記出口に連通する水または混合湯水の流入口を有し、流量調整された前記水または混合湯水が流出するための流出口を有する水栓本体と、
前記流入口から導入された前記水または混合湯水の流出流量を調整するよう前記収容部の上側に設けた流量調整バルブを有し、開閉操作を前記流量調整バルブに伝達するための伝達機構を介して前記流出口から流出可能な前記水または混合湯水の流出流量を調整する流量調整部と、
前記水栓本体および流量調整部が前面側から設置された状態で、壁または床あるいは取付用パネルに取付けられるハウジング本体と、
少なくとも三つの開口を有し前記ハウジング本体を前記前面側から被覆するカバープレートと、
ホースの上流端に設けた継手部材が着脱自在であるとともに、前記流出口に連通する継手部とを備え、更に、
前記湯の取り入れ口および湯側の前記樹脂パイプ間に水撃緩和部材および逆止弁を備えた水撃緩和機構付きの逆止弁部を設ける一方、
前記水の取り入れ口および水側の前記樹脂パイプ間に水撃緩和部材および逆止弁を備えた水撃緩和機構付きの逆止弁部を設け、
湯側および水側の前記水撃緩和部材は、それぞれ、水撃緩和用のバネと、この水撃緩和用のバネより小の付勢力を有するバネにより付勢されて逆止弁が当接するよう設けられた弁座部材とを含み、
水または温度調整された混合湯水を得るように構成され、
湯側の前記水撃緩和機構付きの逆止弁部は、前記水撃緩和部材および逆止弁が組み込まれた状態で、前記湯の取り入れ口および湯側の前記パイプ間に嵌め込み可能に構成されたケース体を有するカートリッジ式の逆止弁部である一方、
水側の前記水撃緩和機構付きの逆止弁部は、前記水撃緩和部材および逆止弁が組み込まれた状態で、前記水の取り入れ口および水側の前記樹脂パイプ間に嵌め込み可能に構成されたケース体を有するカートリッジ式の逆止弁部であり、
しかも、湯側および水側の前記ケース体は、それぞれ、二分割されており、カバーと、このカバーの底を覆うよう着脱自在に嵌め込まれる下蓋とよりなり、
また、湯側および水側の前記弁座部材は、それぞれ、水撃緩和用のバネを介してケース体に摺動可能に内嵌した状態で設けられているとともに、少なくとも水撃現象が発生しない通常の水または混合湯水の供給状態では、水撃緩和用のバネの付勢によりケース体内において前記カバーに当接するよう構成されていることを特徴とする水道用コンセント。
【発明の詳細な説明】
【０００１】
【発明の属する技術分野】
この発明は、水撃緩和機構付きの逆止弁部を設けてある水道用コンセントに関する。
【０００２】
【従来の技術】
水道水等を吐水する水栓として、回転式の操作ハンドルによる自在水栓（単水栓）があるが、操作ハンドルの回動操作により流出（吐出）流量の調整を行っているため、全開させるのに、操作ハンドルを回転させながら栓棒を引っ張り上げるといった煩わしい操作を行う必要がある。そして、このような操作ハンドルの回動操作を繰り返すことによりパッキンが劣化するという問題がある。しかも、パッキンが劣化すると、操作ハンドルを締めつけても、完全に止水することができず、水漏れが生じ、止水する際、操作ハンドルをきつく締めつける必要があるという問題がある上に、全開させるのに、力が必要である。
【０００３】
そこで、自在水栓（単水栓）に代わるものとして、セラミック製の弁体を用いて流出（吐出）流量の調整を行い上記の問題点を解決するとともに、壁または床あるいは取付用パネルに取付けられても各表面からの前出しの少ない水道用コンセントが使用されてきている。
【０００４】
図７に、従来の水道用コンセントに設けられた水撃緩和機構付きの逆止弁部を示す。図７において、８０は、樹脂パイプの上流端が挿入された継手にねじ接続される継手である。水道用コンセントのハウジングに内蔵された水栓本体は、流入口、流出口およびセラミック製の流出流量調整用弁体を有し、前記流入口へ連通する導入流路ｉを形成する導入部８１を有する。この導入部８１は、断面Ｕ字型の収納空間Ｓを有するよう形成されており、この空間Ｓ内に逆止弁８２と、逆止弁機構を構成するその他の部材８３〜８５，８８と各種水撃緩和部材８６，８７，８９，９０が個別に順序よく組み込まれて行き、最後にクリップ９１を導入部８１の内壁に取り付けることでこれら八つの部材８３〜９０が位置決めされ、作動可能な状態となる。
【０００５】
【発明が解決しようとする課題】
しかし、保守点検の際のクリップ９１の取り外しは容易ではなく、また、八つの部材８３〜９０を現場で順次取り付けていく作業は面倒である。また、前記部材８３〜９０が多いので作業中や搬送中に紛失するおそれもある。更に、ツーバルブ混合栓では、湯側と水側にそれぞれ前記水撃緩和機構付きの逆止弁部が使用されるので、取り付け作業や保守点検の作業が二度手間になる。
【０００６】
この発明は、前記の点に留意してなされたものであり、その目的は、水撃緩和機構付きの逆止弁部を容易に取り付け・取り外しできる水道用コンセントを提供することである。
【０００７】
【課題を解決するための手段】
上記目的を達成するために、この発明の水道用コンセントは、湯配管から供給される湯をパイプを介して取り入れる湯の取り入れ口および水配管から供給される水をパイプを介して取り入れる水の取り入れ口が形成されているとともに、水または混合湯水の出口が形成され、更に、前記混合湯水の温度を調整するためのミキシングバルブを備えてなる温度調整器を収容する収容部を有し、前記出口に連通する水または混合湯水の流入口を有し、流量調整された前記水または混合湯水が流出するための流出口を有する水栓本体と、
前記流入口から導入された前記水または混合湯水の流出流量を調整するための流量調整バルブを有し、開閉操作を前記流量調整バルブに伝達するための伝達機構を介して前記流出口から流出可能な前記水または混合湯水の流出流量を調整する流量調整部と、
前記水栓本体および流量調整部が設置された状態で、壁または床あるいは取付用パネルに取付けられるハウジング本体と、
このハウジング本体を前面側から被覆するカバープレートと、
ホースの上流端に設けた継手部材が着脱自在であるとともに、前記流出口に連通する継手部とを備え、更に、
前記湯の取り入れ口および湯側の前記パイプ間に水撃緩和部材および逆止弁を備えた水撃緩和機構付きの逆止弁部を設ける一方、
前記水の取り入れ口および水側の前記パイプ間に水撃緩和部材および逆止弁を備えた水撃緩和機構付きの逆止弁部を設け、
湯側および水側の前記水撃緩和部材は、それぞれ、水撃緩和用のバネと、この水撃緩和用のバネより小の付勢力を有するバネにより付勢されて逆止弁が当接するよう設けられた弁座部材とを含み、
水または温度調整された混合湯水を得るように構成され、
湯側の前記水撃緩和機構付きの逆止弁部は、前記水撃緩和部材および逆止弁が組み込まれた状態で、前記湯の取り入れ口および湯側の前記パイプ間に嵌め込み可能に構成されたケース体を有する一方、
水側の前記水撃緩和機構付きの逆止弁部は、前記水撃緩和部材および逆止弁が組み込まれた状態で、前記水の取り入れ口および水側の前記パイプ間に嵌め込み可能に構成されたケース体を有し、
しかも、湯側および水側の前記ケース体は、それぞれ、二分割されており、カバーと、このカバーの底を覆うよう着脱自在に嵌め込まれる下蓋とよりなり、
また、湯側および水側の前記弁座部材は、それぞれ、水撃緩和用のバネを介してケース体に摺動可能に内嵌した状態で設けられているとともに、少なくとも水撃現象が発生しない通常の水または混合湯水の供給状態では、水撃緩和用のバネの付勢によりケース体内において前記カバーに当接するよう構成されていることを特徴とする。
【０００８】
また、この発明は別の観点から、湯配管から供給される湯を樹脂パイプを介して取り入れる湯の取り入れ口および水配管から供給される水を樹脂パイプを介して取り入れる水の取り入れ口が形成されているとともに、水または混合湯水の出口が形成され、更に、前記混合湯水の温度を調整するためのミキシングバルブを備えてなる嵌め込み式の温度調整器を収容する収容部を有し、前記出口に連通する水または混合湯水の流入口を有し、流量調整された前記水または混合湯水が流出するための流出口を有する水栓本体と、
前記流入口から導入された前記水または混合湯水の流出流量を調整するよう前記収容部の上側に設けた流量調整バルブを有し、開閉操作を前記流量調整バルブに伝達するための伝達機構を介して前記流出口から流出可能な前記水または混合湯水の流出流量を調整する流量調整部と、
前記水栓本体および流量調整部が前面側から設置された状態で、壁または床あるいは取付用パネルに取付けられるハウジング本体と、
少なくとも三つの開口を有し前記ハウジング本体を前記前面側から被覆するカバープレートと、
ホースの上流端に設けた継手部材が着脱自在であるとともに、前記流出口に連通する継手部とを備え、更に、
前記湯の取り入れ口および湯側の前記樹脂パイプ間に水撃緩和部材および逆止弁を備えた水撃緩和機構付きの逆止弁部を設ける一方、
前記水の取り入れ口および水側の前記樹脂パイプ間に水撃緩和部材および逆止弁を備えた水撃緩和機構付きの逆止弁部を設け、
湯側および水側の前記水撃緩和部材は、それぞれ、水撃緩和用のバネと、この水撃緩和用のバネより小の付勢力を有するバネにより付勢されて逆止弁が当接するよう設けられた弁座部材とを含み、
水または温度調整された混合湯水を得るように構成され、
湯側の前記水撃緩和機構付きの逆止弁部は、前記水撃緩和部材および逆止弁が組み込まれた状態で、前記湯の取り入れ口および湯側の前記パイプ間に嵌め込み可能に構成されたケース体を有するカートリッジ式の逆止弁部である一方、
水側の前記水撃緩和機構付きの逆止弁部は、前記水撃緩和部材および逆止弁が組み込まれた状態で、前記水の取り入れ口および水側の前記樹脂パイプ間に嵌め込み可能に構成されたケース体を有するカートリッジ式の逆止弁部であり、
しかも、湯側および水側の前記ケース体は、それぞれ、二分割されており、カバーと、このカバーの底を覆うよう着脱自在に嵌め込まれる下蓋とよりなり、
また、湯側および水側の前記弁座部材は、それぞれ、水撃緩和用のバネを介してケース体に摺動可能に内嵌した状態で設けられているとともに、少なくとも水撃現象が発生しない通常の水または混合湯水の供給状態では、水撃緩和用のバネの付勢によりケース体内において前記カバーに当接するよう構成されていることを特徴とする水道用コンセントを提供する。
【０００９】
【発明の実施の形態】
以下、この発明の実施形態について説明する。
図１〜図６は、この発明の一実施形態を示す。
【００１０】
図１は、混合湯水の温度を調整するためのミキシングバルブを備えてなる嵌め込み式の温度調整器と、水または混合湯水の流出流量を調整するための流量調整バルブとを用いた水道用コンセントにおける湯、水、混合湯水の流れを示す。図２（Ａ）は、水撃緩和機構付きの逆止弁部が取り付けられている状態を示し、図２（Ｂ）は、水撃緩和機構付きの逆止弁部の取り付け手順を示す。図３は、水道用コンセントのハウジング本体をハウジング本体の前面側から被覆するカバープレートを示し、図４は、カバープレートを取り外した状態のハウジング本体と、このハウジング本体の内部に取り付けられている水栓本体と、湯側および水側のそれぞれ水撃緩和機構付きの逆止弁部とを示す。図５は、水道用コンセントの縦断面を示す。また、図６は、温度調整器（ミキシングカートリッジ）のミキシングバルブの動作を示す。
【００１１】
図１〜図６において、１は、水道用コンセントで、そのハウジングは、壁２に形成された取付孔２ａに壁２の背面側から壁２の表面側に向かう方向（Ａ方向）で、前記背面側から取付孔２ａを介して取付けられる樹脂製のハウジング本体４と、このハウジング本体４を取付けた後ハウジング本体４の前面外枠４ａとで取付孔２ａの全周縁Ｂを挟む取付枠部５と、この取付枠部５と当接する背面６ａを有し、取付枠部５と当接しながら、ハウジング本体４の前面外枠４ａ、この前面外枠４ａに形成されるハウジング本体４の開口部４ｂおよび取付枠部５を被覆する樹脂製のカバープレート６とより構成される。
そして、水道用コンセント１は、これらハウジング本体４、取付枠部５およびカバープレート６と、水栓本体３と、流量調整部１４と、洗濯機、浄水器、食器洗い機、湯沸器などの機器の給水ホース（図示せず）の上流端に設けられた継手部材（図示せず）が着脱自在である継手部１５とより主としてなる。
【００１２】
更に、前記ハウジング本体４は、水栓本体３と、流量調整部１４と、水栓本体３および湯配管を接続する樹脂パイプ７の先端（最下流端）７ａと、水栓本体３および水配管を接続する樹脂パイプ８の先端（最下流端）８ａと、後述する湯側の水撃緩和機構付きの逆止弁部１８と、水側の水撃緩和機構付きの逆止弁部１９とが収容される収容空間Ｓを有する。なお、７ｂは、樹脂パイプ７の外周面を覆って樹脂パイプ７を保護するための蛇腹形状の鞘管であり、８ｂは、樹脂パイプ８の外周面を覆って樹脂パイプ８を保護するための蛇腹形状の鞘管である。鞘管７ｂと鞘管８ｂは同一構成である。
【００１３】
また、前記水栓本体３は、嵌め込み式の温度調整器（ミキシングカートリッジ）１０を収容する温度調整室（収容部）１１と、この温度調整室１１の上側（下流側）に流量調整部１４のセラミック製流量調整バルブ１２を有する。前記温度調整室１１は、水栓本体３の壁面部１１ａによって形成されている。
【００１４】
前記温度調整器（ミキシングカートリッジ）１０は、湯配管から供給される湯を樹脂パイプ７を介して取り入れる湯の取り入れ口６４と、水配管から供給される水を樹脂パイプ８を介して取り入れる水の取り入れ口６３とを有するとともに、湯水混合室７４に水または混合湯水の出口７３を有し、更に、前記混合湯水の温度を調整するためのセラミック製のミキシングバルブＶ６５，６９を内蔵している。このミキシングバルブＶは、ディスク状セラミック製固定弁体６５と、ディスク状セラミック製可動弁体６９とよりなる。なお、図１におけるＭは、湯流路である。また、図１におけるＮは、水流路である。また、図１におけるＬは、水または混合湯水の流路である。
そして、前記湯側の水撃緩和機構付きの逆止弁部１８は、前記湯の取り入れ口６４および湯側の前記樹脂パイプ７間に設けらている。また、前記水側の水撃緩和機構付きの逆止弁部１９は、前記水の取り入れ口６３および水側の前記樹脂パイプ８間に設けられている。
【００１５】
また、前記水栓本体３は、前記出口７３に連通する水または混合湯水の流入口３ａを有し、流量調整された前記水または混合湯水が流出するための流出口３ｂを有する。そして、前記継手部１５は、前記流出口３ｂの中心軸Ｃのまわりに３６０°回転可能な状態で前記流出口３ｂに接続されている。
【００１６】
また、前記流量調整部１４は、開閉操作を前記流量調整バルブ１２に伝達するための伝達機構１３を介して前記流出口３ｂから流出可能な前記水または混合湯水の流出流量を調整するよう機能する。前記流量調整バルブ１２は、前記流入口３ａから導入された前記水または混合湯水の流出流量を調整する。前記流量調整バルブ１２も、ディスク状セラミック製固定弁体２１ａ、ディスク状セラミック製可動弁体１２ｂとよりなる。
【００１７】
以下、前記温度調整器（ミキシングカートリッジ）１０（本出願人による特願平１１−３１７３２５号の明細書、図面参照）について説明する。
【００１８】
。なお、図５には、温度調整ハンドル５８の回転により湯水の混合比率を変化させる温度調整器（以下、ミキシングカートリッジという）１０のケース体６２の外観が示されている。また、図６（Ａ）は、図５における前記ケース体６２のａ−ａ’線矢視図を示している。
【００１９】
図５、図６において、前記温度調整室１１内には、取り替え自在な前記ミキシングカートリッジ１０が温度調整室１１内に水密状態に装着されている。ミキシングカートリッジ１０のケース体６２は上流側に湯の取入口６４および水の取入口６３を有する。この湯の取入口６４および水の取入口６３は、図６から明らかなように、ケース体６２の長手方向である弁棒７１（後述する）の軸方向（Ｂ方向）に沿って前後に設けられるのではなく軸方向に直角な横方向に並列配置してある。すなわち、両取入口６３，６４をＹ方向（水道用コンセント１の厚みの方向）ではなくＸ方向に配置しているので、カートリッジ１０のＹ方向へのサイズが大きくなるのを回避できる。この実施形態では、水道用コンセント１のＹ方向の長さＥは、上記各実施形態と同様の６０ｍｍであるが、ミキシングカートリッジ１０の弁棒突出部７１ｃを除く長さＭは、それより小さく、例えば３５ｍｍである。
【００２０】
前記ミキシングバルブＶは、湯の取入口６４および水の取入口６３の下流側に位置する。固定弁体６５は、ケース体６２に水密状態に固定されており、湯の取入口６４に連通する湯の弁孔６６と水の取入口６３に連通する水の弁孔６７を有する〔図６（Ｃ）参照〕。更に、両弁孔６６，６７には各弁孔６６，６７の内壁を覆うようにシール用パッキン６８が設けられている。
【００２１】
また、可動弁体６９は、固定弁体６５の上面６５ａを回動自在に摺動する。この可動弁体６９の下面６９ａの形状は図６（Ｄ）に示すように半円形である。つまり、固定弁体６５の上面６５ａを可動弁体６９の下面６９ａが回動自在に摺動する。この可動弁体６９は前記両弁孔６６，６７の開口域の一部〔図６（Ｄ）参照〕あるいは前記両弁孔６６，６７の一方の開口域を覆う状態で湯水の混合割合を調節する。一方、可動弁体６９の上面６９ｂは、図６（Ｂ）に示すように、平面視Ｔ字型の係合突起７０が形成されている。
【００２２】
７１は、温度調整ハンドル５８に固着された弁棒で、その軸方向（Ｂ方向）の移動がＣリング７１ｂにより押さえられた状態で軸７２のまわりに回転可能になっている。この弁棒７１の下面７１ａの形状は、可動弁体６９の上面６９ｂの係合突起７０に係合する平面視Ｔ字型の溝７２形状に形成されている。
【００２３】
７４は、ケース体６２の湯水混合室で、固定弁体６５の位置よりも下流側に設けられている。７３は、湯水混合水の複数の出口で、湯水混合室７４におけるケース体６２の周壁位置に設けられている。７５は、湯水混合室７４から出口７３を介して連通する湯水混合水流路で、水栓本体３の流入口３ａからセラミック製流量調整バルブ１２を介して流量調整部１４の流出流路７６に連通する。
【００２４】
次に、カバープレート６と前記伝達機構１３を含む流量調整部１４の開閉操作の機構について説明する。
【００２５】
前記カバープレート６は、流量調整部１４の操作爪１４ａ、継手部１５および温度調整ハンドル５８がそれぞれ配置される三つの開口６ａ，６ｂおよび６ｃを中央部における高さ方向に上からこの順で有する。前記開口６ａは、正面視横長の長方形であり、残りの前記開口６ｂ，６ｃは、正面視円形である。
【００２６】
前記流量調整部１４は、前記操作爪１４ａとカイド片１４ｂと連結片１４ｃよりなる。また、前記伝達機構１３は、流量調整バルブ１２の可動ディスク１２ｂに嵌合係止される下面部を有する弁棒１３ａと、この弁棒１３ａに設けられ、弁棒１３ａと共に弁棒１３ａの軸心Ｈのまわりに回動する回動片１３ｂとよりなる。そして、回動片１３ｂは、連結片１４ｃに連動可能に連結されている。１７，１７は、カバープレート６の背面の上下に設けた案内片である。この案内片１７，１７間に前記カイド片１４ｂを差し込むことでカイド片１４ｂが、カバープレート６の横方向（両矢印Ｚで示す方向）〔図３参照〕に一次元移動することが可能となり、ひいては、前記操作爪１４ａの開閉操作が一次元操作可能に構成される。これにより、ハウジング本体４内の収容空間を小型化できるとともに、ハウジング本体４の壁２からの前出しの長さを小さくでき、ひいてはカバープレート６からの操作爪１４ａの前出しも小さくできて薄型の水道用コンセント１を提供できる。
【００２７】
以下、この発明の特徴的構成について説明する。
【００２８】
湯側の水撃緩和機構付きの逆止弁部１８は、ミキシングカートリッジ１０の前記湯の取り入れ口６４および湯側の前記樹脂パイプ７間に設けられている。前記逆止弁部１８は、前記湯の取り入れ口６４および湯側の樹脂パイプ７間に嵌め込み可能なケース体２０と、このケース体２０内に予め組み込まれている水撃緩和部材および逆止弁２１とを有するカートリッジ式としてある。
【００２９】
一方、水側の前記水撃緩和機構付きの逆止弁部１９は、ミキシングカートリッジ１０の前記水の取り入れ口６３および水側の前記樹脂パイプ８間に設けられている。前記逆止弁部１９は、前記水の取り入れ口６３および水側の樹脂パイプ８間に嵌め込み可能なケース体２０’と、このケース体２０’内に予め組み込まれている水撃緩和部材および逆止弁２１’とを有するカートリッジ式としてある。
【００３０】
なお、この発明では、前記湯側の水撃緩和機構付きの逆止弁部１８と前記水側の水撃緩和機構付きの逆止弁部１９は同一構成であるので、前記逆止弁部１８についてだけ説明する。
【００３１】
まず、前記逆止弁部１８は、湯の取り入れ口６４および湯側の樹脂パイプ７間に設けられるが、具体的な設置位置について説明する。
【００３２】
図２（Ｂ）において、２２は、ねじ部２３を上流側に有し、下流側に前記ケース体２０の上流端部が内嵌可能な嵌込み穴２４ａが形成された嵌込み穴部２４を下流側に有するとともに、両者２３，２４間に形成された外向きフランジ３０を有する継手である。前記ねじ部２３は、外周に外ねじ２３ａを有する。この外ねじ２３ａは、湯側の樹脂パイプ７の先端（最下流端）７ａが水密状態で嵌め込まれた湯側の継手（図示せず）の下流端に形成された内ねじに螺合する。また、湯側の継手２２は、前記嵌込み穴部２４の外周に外ねじ２５を有するとともに、前記外向きフランジ３０の直下流側における外周位置にシール部材（Ｏリング）２６が嵌め込まれるリング溝２７を有する。
【００３３】
一方、水栓本体３は、温度調整室（収容部）１１を形成している前記壁面部１１ａから上流側に連設された逆止弁部収容室３２を有する。この収容室３２は、矢印Ａで示す下流側に向かって挿入された前記ケース体２０の下流端部が内嵌可能な嵌込み穴３３ａが形成された嵌込み穴部３３と、矢印Ｂで示す下流側に向かって挿入された継手２２の外ねじ２５が螺合する内ねじ３４ａを有する継手挿入部３４とによって形成されている。
【００３４】
而して、逆止弁２１と、後述する水撃緩和機構を構成する複数の部材がケース体２０内に予め組み込まれたカートリッジ式の湯側の前記逆止弁部１８を、Ａ方向から収容室３２に挿入してケース体２０の下流端部を嵌込み穴３３ａに嵌込み、この状態で、ケース体２０の上流端部を覆うように、継手２２を継手挿入部３４に挿入して内ねじ３４ａと外ねじ２５を螺合させることにより継手挿入部３４と継手２２を接続する。これにより、カートリッジ式の湯側の前記逆止弁部１８を、逆止弁部収容室３２の嵌込み穴３３ａおよび継手挿入部３４と、継手２２の嵌込み穴部２４の嵌込み穴２４ａに位置させることができ、前記逆止弁部１８を、湯の取り入れ口６４および湯側の樹脂パイプ７間に設けることができる。
【００３５】
次に、ケース体２０内に予め予め組み込まれている部材について説明する。
【００３６】
先ず、ケース体２０は、二分割されており、筒状のカバー２０ａと、このカバー２０ａの底を覆うよう着脱自在に嵌め込まれる下蓋２０ｂとよりなる。
【００３７】
前記カバー２０ａは、上方開口ｅを横切る形で、軸穴部４０と、この軸穴部４０から径方向に延びた複数のリブ４１（図４参照）とを有する。４２は、シール部材（Ｏリング）で、収容室３２の嵌込み穴部３３およびカバー２０ａ間をシールする。
【００３８】
前記下蓋２０ｂは、中央に立設された筒状部４４と、この筒状部４４の底から径方向にリング状に延びカバー２０ａに外嵌する凹部４３とよりなる。
【００３９】
次に、水撃緩和機構を構成する複数の部材について説明する。
【００４０】
４５は、水撃緩和用のバネである。すなわち、水道用コンセント１の継手部１５に接続されている例えば洗濯機用給水ホースを介して継手部１５から水または混合湯水を洗濯機に供給し、供給後に流量調整部１４の前記操作爪１４ａを開の状態から閉の状態に操作してミキシングカートリッジ１０内を通過する水または混合湯水の流れを流量調整バルブ１２で停止したときに、流量調整バルブ１２および前記逆止弁部１８間に形成される二次側流路の圧力が大きくなりウォータハンマー（水撃）現象が発生するのを緩和するために前記水撃緩和用のバネ４５が設けられている。この水撃緩和用のバネ４５は、上流側を下蓋２０ｂの筒状部４４を覆う形で下蓋２０ｂの前記リング状の凹部４３に下端面が当接した状態で載置されている。
【００４１】
また、この水撃緩和用のバネ４５の上端面には前記逆止弁２１の弁座部材４６が載置されている。この弁座部材４６は、下蓋２０ｂの筒状部４４の上方開口４４ａを介して少しだけ摺動可能に内嵌している小径筒部４６ａと、前記水撃緩和用のバネ４５の上端面に底面が当接した状態で載置されている大径筒部４６ｂと、この大径筒部４６ｂの外周面に設けたシール部材（Ｏリング）４６ｃとよりなる。シール部材（Ｏリング）４６ｃは、カバー２０ａおよび弁座部材４６間をシールする。
【００４２】
そして、この水撃緩和用のバネ４５、下蓋２０ｂおよび弁座部材４６より水撃緩和機構が構成されている。
【００４３】
次に、逆止弁機構について説明する。
【００４４】
前記逆止弁２１は、水または混合湯水の逆流や、ウォータハンマー（水撃）現象が発生しない通常の水または混合湯水の供給状態では、水または混合湯水の流速によって弁座部材４６の大径筒部４６ｂから離間するよう機能する。逆止弁２１は、弁座部材４６に当接したり離間したりする基部２１ａと、ケース体２０の前記カバー２０ａの軸穴部４０に挿通可能に設けられる軸部２１ｂと、基部２１ａの外周面に設けたシール部材（Ｏリング）２１ｃとよりなる。シール部材（Ｏリング）２１ｃは、基部２１ａおよび弁座部材４６間をシールする。
【００４５】
４７は、前記カバー２０ａの軸穴部４０および基部２１ａ間に介装されるバネで、逆止弁２１が弁座部材４６に常時当接するよう付勢されている。このバネ４７の付勢力は、水撃緩和用のバネ４５のそれよりも遙に小さい。
【００４６】
而して、逆止弁２１と、水撃緩和機構を構成する上述した複数の部材をケース体２０内に予め組み込むことでカートリッジ式の湯側の前記逆止弁部１８を得ることができる。そして、上述したことから明らかなように、簡単な取り付け作業でカートリッジ式の湯側の前記逆止弁部１８を湯の取り入れ口６４および湯側の樹脂パイプ７間に設けることができる。また、保守点検の作業も容易にできる。更に、前記逆止弁２１、バネ４７および水撃緩和機構を構成する複数の部材を紛失するおそれも無くなる。
【００４７】
【発明の効果】
この発明では、湯側の水撃緩和機構付きの逆止弁部をカートリッジ式としたので、湯の取り入れ口および湯側の樹脂パイプ間に嵌め込むだけの作業で、容易に取り付けできるとともに、容易に取り外しできる。
【００４８】
また、水側の水撃緩和機構付きの逆止弁部をカートリッジ式としたので、水の取り入れ口および水側の樹脂パイプ間に嵌め込むだけの作業で、容易に取り付けできるとともに、容易に取り外しできる。
【図面の簡単な説明】
【図１】  この発明の一実施形態における湯・水の流れを説明するための図である。
【図２】  （Ａ）は、上記実施形態で用いた湯側の水撃緩和機構付きのカートリッジ式逆止弁部の取り付け状態を示す構成説明図である。
（Ｂ）は、上記実施形態で用いた湯側の水撃緩和機構付きのカートリッジ式逆止弁部の取り付け手順を示す構成説明図である。
【図３】  上記実施形態を示す正面図である。
【図４】  上記実施形態において、カバープレートを取り外した状態を示す正面図である。
【図５】  上記実施形態を示す縦断面図である。
【図６】  （Ａ）は、図５における温度調整器（ミキシングカートリッジ）のａ−ａ’線矢視図である。
（Ｂ）は、上記実施形態で用いたミキシングバルブを構成する可動弁体と弁棒を示す分解斜視図である。
（Ｃ）は、上記実施形態で用いたミキシングバルブを構成する可動弁体および固定弁体をそれぞれ示す平面図である。
（Ｄ）は、上記実施形態で用いたミキシングバルブを構成する可動弁体および固定弁体の動作を示す図である。
【図７】  従来例の取り付け状態を示す構成説明図である。
【符号の説明】
１…水道用コンセント、２…壁または床あるいは取付用パネル、３…水栓本体、３ａ…流入口、３ｂ…流出口、４…ハウジング本体、６…カバープレート、７…湯側の樹脂パイプ、８…水側の樹脂パイプ、１２…流量調整バルブ、１４…流量調整部、１５…継手部、１８…湯側の水撃緩和機構付きの逆止弁部、１９…水側の水撃緩和機構付きの逆止弁部、２０…ケース体、２０’…ケース体、２０ａ…カバー、２０ｂ…下蓋、２１…逆止弁、２１’…逆止弁、４５…水撃緩和用のバネ、４６…弁座部材、４７…バネ、６３…水の取り入れ口、６４…湯の取り入れ口、７３…出口。
【図１】
0003962268.tif 000002
【図２】
0003962268.tif 000003
【図３】
0003962268.tif 000004
【図４】
0003962268.tif 000005
【図５】
0003962268.tif 000006
【図６】
0003962268.tif 000007
【図７】
0003962268.tif 000008